(57)【特許請求の範囲】
【請求項１】
筐体と、
前記筐体に結合されたカバーガラスであって、
実質的に滑らかな外面と、
前記実質的に滑らかな外面の反対側の内面と、
前記実質的に滑らかな外面から前記内面に延在する開口面を有する開口と、
前記開口面に沿って蒸着された金属層を含み、前記カバーガラスの前記実質的に滑らかな外面及び前記内面と同一平面を有し、前記実質的に滑らかな外面から前記内面に延びる光学的バリアと、
前記開口内に固定され、前記金属層に接合されたウィンドウと、
前記ウィンドウから前記光学的バリアによって分離された隣接領域と
を備えるカバーガラスと、
前記筐体内の、前記ウィンドウに隣接するカメラと、
を備え、
光が前記ウィンドウを通って前記カメラに入射するように、前記カメラは前記ウィンドウに隣接し、
前記光学的バリアは、前記隣接領域を通って伝達する光に起因する前記カメラにおけるグレアを低減することを特徴とする消費者向け電子製品。
【請求項２】
前記カバーガラスの前記隣接領域が前記カバーガラスの大部分の領域を占め、
前記ウィンドウが前記カバーガラスの小部分の領域を占める、請求項１に記載の消費者向け電子製品。
【請求項３】
前記ウィンドウは、光が前記カメラに入ることを許容する、請求項１に記載の消費者向け電子製品。
【請求項４】
照明を更に含み、
前記カバーガラスが前記照明に対して実質的に透過的であり、かつ、前記隣接領域を通過して前記カバーガラスから照明が外方へ投影されるように配置されている、請求項１乃至請求項３のいずれか一項に記載の消費者向け電子製品。
【請求項５】
前記光学的バリアが、前記照明から前記カバーガラスを介して前記カメラに入り込む光を実質的に低減するように機能する、請求項４に記載の消費者向け電子製品。
【請求項６】
筐体と、
前記筐体に結合されたカバーガラスであって、
前記カバーガラスの外面から前記カバーガラスの内面に延在する開口面を有する開口と、
前記開口面に沿って適用された金属材料を含み、前記カバーガラスの前記外面及び前記内面と同一平面を有し、前記外面から前記内面に延びる光学的バリア層と、
前記カバーガラスの前記開口内で保持され、前記金属材料と接合されている化学強化ガラス製カメラウィンドウと、
前記光学的バリア層により、前記化学強化ガラス製カメラウィンドウから分離されている隣接領域と、
を備えるカバーガラスと、
前記筐体内の、前記化学強化ガラス製カメラウィンドウに隣接するカメラと、
前記筐体内の照明と
を備え、前記光学的バリア層は、前記照明からの光と外部ソースからの光とが前記隣接領域を介して前記カメラに到達することを遮る、消費者向け電子製品。
【請求項７】
前記光学的バリア層が、前記化学強化ガラス製カメラウィンドウを実質的に取り囲む、請求項６に記載の消費者向け電子製品。
【請求項８】
前記カバーガラスが、前記化学強化ガラス製カメラウィンドウ及び前記光学的バリア層にわたって延在する、実質的に滑らかな外面を有する、請求項６に記載の消費者向け電子製品。
【請求項９】
前記カバーガラスが、前記化学強化ガラス製カメラウィンドウ、前記光学的バリア層、及び前記カバーガラスの前記隣接領域にわたって延在する、実質的に滑らかな外面を有する、請求項６に記載の消費者向け電子製品。
【請求項１０】
前記カバーガラスが、前記化学強化ガラス製カメラウィンドウ及び前記光学的バリア層にわたって平面状であるラップ加工された外面を有する、請求項６に記載の消費者向け電子製品。
【請求項１１】
前記ラップ加工された外面は、更に前記隣接領域にわたって平面状である、請求項１０に記載の消費者向け電子製品。
【請求項１２】
前記光学的バリア層がタングステン及びモリブデンのうちの少なくとも１つを含む、請求項６乃至１１のいずれか一項に記載の消費者向け電子製品。
【請求項１３】
筐体と、
少なくともカメラを含む、少なくとも部分的に前記筐体の内部に配設された電気部品と、
前記筐体に結合されたカバーガラスであって、
外面と、
前記外面の反対側の内面と、
前記外面から前記内面に延在する開口面を有する前記カバーガラス内の開口と、
前記カバーガラス内に保持され、前記外面から前記内面に延びるカメラウィンドウと、
前記カメラウィンドウと隣接領域との間に位置し、前記外面から延び、前記内面で終端している光学的バリアと、
を含み、
前記カメラが前記カメラウィンドウと隣接し、
前記光学的バリアが、物理的気相成長法により前記開口面に蒸着された金属層を含み、前記カメラウィンドウを実質的に取り囲む、消費者向け電子製品。
【請求項１４】
前記カメラウィンドウが前記カバーガラス内の前記開口に配置されたガラスインサートを含む、請求項１３に記載の消費者向け電子製品。
【請求項１５】
電子製品を組み立てる方法であって、
カバーガラス内に開口であって、前記カバーガラスの外面から内面に延在する開口面を有する開口を形成することと、
前記開口面上に金属層を蒸着することと、
前記金属層の内側に透明なカメラウィンドウを配設することと、
前記透明なカメラウィンドウ、前記金属層、及び、前記カバーガラスの隣接するガラス領域を、前記カバーガラスの平面状外面になるようにラップ加工することと、
前記透明なカメラウィンドウをカメラに隣接して配設することと、
その後に、前記カバーガラスを前記電子製品の筐体に取り付けることと、
を含む、方法。
【請求項１６】
前記金属層は、前記透明なカメラウィンドウと前記隣接するガラス領域との間で、前記透明なカメラウィンドウを実質的に取り囲む、請求項１５に記載の方法。
【請求項１７】
前記実質的に滑らかな外面が、前記ウィンドウ、前記金属層、及び前記カバーガラスの前記隣接領域にわたって延在する、請求項１に記載の消費者向け電子製品。
【請求項１８】
前記金属層は、物理的気相成長法により蒸着される、請求項１５に記載の方法。
【請求項１９】
前記透明なカメラウィンドウを配設することは、前記カバーガラス内に細長のガラスプラグを熱プレスすることを含み、
前記熱プレスは、約６００度から約７００度の間の温度で実行される、請求項１５に記載の方法。
【発明の詳細な説明】
【技術分野】
【０００１】
本発明は、全体としてガラスの加工に関する。より具体的には、本発明は、ポータブル電子デバイスにおいて使用されるカバーガラスの加工に関する。
【背景技術】
【０００２】
従来、ハンドヘルド電子デバイスなどの小型フォームファクタのデバイスは、様々な層を含むディスプレイ機構を含む。この様々な層は、少なくともディスプレイ技術層を含み、及び追加として、そのディスプレイ技術層の上に配置される感知機構及び／又はカバーウィンドウが含まれ得る。例として、ディスプレイ技術層は、液晶モジュール（ＬＣＭ）を含む液晶ディスプレイ（ＬＣＤ）を含み得るか、又はそれに関連し得る。ＬＣＭは、一般的に、液晶層を間に挟む上部ガラスシート及び下部ガラスシートを含む。感知機構は、タッチスクリーンを作り出すために使用されるものなどの、接触感知機構とすることができる。例えば、容量性感知タッチスクリーンは、ガラス（又はプラスチック）のシート一面に分散された、実質的に透明な感知点又は感知ノードを含み得る。加えて、典型的に外側防護バリアとして設計されたカバーウィンドウは、ガラス製又はプラスチック製であり得る。ただし、防護バリアとしては、強度及び耐引掻性を備えるガラスの方が優れる傾向がある。
【０００３】
更に、デジタルカメラ技術のサイズ及びコスト面で急速な進歩は、１つ以上のデジタルカメラが各種のポータブル電子デバイスと統合されるに至った。そのような統合によって、利用可能なカメラ機能に利便性が備わるようになったが、その反面、この種の統合型カメラで画像又は映像をキャプチャした場合に、その画像又は映像品質が損なわれることもしばしばである。なお、フラッシュ又はその他の照明は、暗い場面で画像又は映像に恩恵をもたらし得るが、統合が困難であるなどの諸々の理由から、多くの場合は、フラッシュ又は他の照明がポータブル電子デバイスから排除されている。
【０００４】
それ故、電子デバイスにおいてカメラをガラス製カバー機構と統合する手法を改良することに対して継続的なニーズが存在している。
【発明の概要】
【０００５】
電子デバイス用のカメラウィンドウを提供するために、カメラをカバーガラスと統合し、カバーガラスを加工するための装置、システム及び方法が開示されている。カメラウィンドウをカバーガラスに統合することも可能である。本装置、システム及び方法は、ハンドヘルド電子デバイスなどの小型フォームファクタの電子デバイス（例えば、モバイル電話、メディアプレーヤ、携帯情報端末、リモートコントロールなど）に組み立てられる、カバーガラス、又はディスプレイ（例えば、ＬＣＤディスプレイ）に特に好適である。本装置、システム、及び方法はまた、相対的に大型のフォームファクタの他の電子デバイス（例えば、ポータブルコンピュータ、タブレットコンピュータ、ディスプレイ、モニタ、テレビなど）に対応したカバーガラス又はディスプレイにも使用できる。
【０００６】
本発明は、方法、システム、デバイス、又は装置を含め、数多くの方法で実施することができる。本発明の幾つかの実施形態が、下記に記述される。
【０００７】
消費者向け電子製品として一実施形態は、少なくとも筐体及び少なくとも部分的に筐体の内部に配設された電気部品を含んでもよく、電気部品は少なくともカメラを含む。カバーガラスを筐体に結合させることも可能である。カバーガラスは、光学的バリア周辺部で実質的に包囲された透明領域を含んでいる、実質的に滑らかな外面を有し得る。カバーガラスの透明領域がカメラに対して実質的に透過的になるように、カメラを透明領域に隣接して光学的バリア周辺部の内部に配置してもよい。光学的バリア周辺部は、カバーガラスを介してカメラにおけるグレアを低減するために、カバーガラスの内部で、カメラとカバーガラスの隣接領域との間に介在させてもよい。
【０００８】
電気部品に少なくともカメラを含み、少なくとも筐体及び少なくとも部分的に筐体の内部に配設された電気部品を、消費者向け電子製品として別の実施形態に含んでもよい。カバーガラスを筐体に結合させることも可能である。カバーガラスは、化学強化ガラス製カメラウィンドウと光学的バリアとを含み得る。カメラを化学強化ガラス製カメラウィンドウに隣接して配置してもよい。光学的バリアは、カバーガラスを介してカメラにおけるグレアを低減するために、カバーガラスの内部で、カメラとカバーガラスの隣接領域との間に介在させてもよい。
【０００９】
電気部品に少なくともカメラを含み、少なくとも筐体及び少なくとも部分的に筐体の内部に配設された電気部品を、消費者向け電子製品として別の実施形態に含んでもよい。カバーガラスを筐体に結合させることも可能である。カバーガラスは、透明なカメラウィンドウと、隣接のガラス領域と、を含み得る。カメラを透明なカメラウィンドウに隣接して配置してもよい。隣接するガラス領域は、カバーガラスを介してカメラにおけるグレアが実質的に低減するために、十分に暗色又は不透明であってよい。
【００１０】
電気部品に少なくともカメラを含み、少なくとも筐体及び少なくとも部分的に筐体の内部に配設された電気部品を、消費者向け電子製品として更に別の実施形態に含んでもよい。カバーガラスを筐体に結合させることも可能である。カバーガラスは、カメラウィンドウと光学的バリアと、を含み得る。カメラをカメラウィンドウに隣接して配置してもよい。光学的バリアは、カメラウィンドウを実質的に包囲する光学的バリア周辺部を含んでもよく、光学的バリア周辺部は物理的気相成長法で塗布された材料層を含み得る。
【００１１】
電子製品を組み立てる方法として、一実施形態は少なくとも、カバーガラス内に開口を形成する工程と、カバーガラス内に透明なカメラウィンドウを配設する工程と、透明なカメラウィンドウ及びカバーガラスの隣接ガラス領域をカバーガラスの平面状外面になるようにラップ加工する工程と、を含む。加えて、所望される場合、本方法は、透明なカメラウィンドウをカメラに隣接して配設する工程と、その後に、カバーガラスを電子製品の筐体に取り付ける工程と、を更に含み得る。
【００１２】
本発明の他の態様及び利点は、例として本発明の原理を説明する添付図と共に考慮される、下記の「発明を実施するための形態」から明らかとなるであろう。
【００１３】
本発明は、類似の参照番号は類似の構造要素を指す、添付の図と共に下記の「発明を実施するための形態」により容易に理解できるであろう。
【図面の簡単な説明】
【００１４】
【図１Ａ】消費者向け電子製品の一実施形態の図である。
【図１Ｂ】消費者向け電子製品の一実施形態の図である。
【図１Ｃ】消費者向け電子製品の一実施形態の図である。
【図１Ｄ】消費者向け電子製品の一実施形態の図である。
【図１Ｅ】消費者向け電子製品の一実施形態の図である。
【図２Ａ】一実施形態に係るカバーガラスの加工である。
【図２Ｂ】一実施形態に係るカバーガラスの加工である。
【図３Ａ】一実施形態に係る、開口が形成された後の加工済みカバーガラスの斜視図である。
【図３Ｂ】一実施形態に係る、図３Ａに示す加工済みカバーガラスの周辺領域の詳細図である。
【図４Ａ】一実施形態に係る、カバーガラス内に形成された開口の中に光学的バリア周辺部が配設された後の、更に加工されたカバーガラスの斜視図である。
【図４Ｂ】一実施形態に係る、図３Ａに示す更に加工されたカバーガラスの周辺領域の詳細図である。
【図５Ａ】一実施形態に係る、光学的バリア周辺部の内部及びカバーガラスを貫通して延在する開口の内部に透明なカメラウィンドウが配設された後の、更に加工されたカバーガラスの斜視図である。
【図５Ｂ】一実施形態に係る、図５Ａに示す更に加工されたカバーガラスの周辺領域の詳細図である。
【図６Ａ】一実施形態に係るカバーガラスの加工を示す略断面図である。
【図６Ｂ】一実施形態に係るカバーガラスの加工を示す略断面図である。
【図６Ｃ】一実施形態に係るカバーガラスの加工を示す略断面図である。
【図６Ｄ】一実施形態に係るカバーガラスの加工を示す略断面図である。
【図７Ａ】別の実施形態に係るカバーガラスの加工を示す略断面図である。
【図７Ｂ】別の実施形態に係るカバーガラスの加工を示す略断面図である。
【図７Ｃ】別の実施形態に係るカバーガラスの加工を示す略断面図である。
【図８Ａ】別の実施形態に係るカバーガラスの加工を示す略断面図である。
【図８Ｂ】別の実施形態に係るカバーガラスの加工を示す略断面図である。
【図８Ｃ】別の実施形態に係るカバーガラスの加工を示す略断面図である。
【図８Ｄ】消費者向け電子製品の別の実施形態の略図である。
【図９】カバーガラスの露出面部分の化学強化の詳細な部分断面図を示す線図である。
【図１０Ａ】一実施形態に係るカバーガラスの化学強化を示す略断面図である。
【図１０Ｂ】一実施形態に係るカバーガラスの化学強化を示す略断面図である。
【図１０Ｃ】消費者向け電子製品の別の実施形態の略図である。
【図１１】一実施形態に係る組立プロセスを示したフローチャートである。
【００１５】
図１から図１１が必ずしも尺度どおりに描画されるとは限らないことに注意すべきである。代替的に、これらの図は、その特徴部が見え易いように拡大されている。
【発明を実施するための形態】
【００１６】
電子デバイス用のカメラウィンドウするために、カメラをカバーガラスと統合し、カバーガラスを加工するための装置、システム及び方法が開示されている。カメラウィンドウをカバーガラスと統合することも可能である。本装置、システム及び方法は、ハンドヘルド電子デバイスなどの小型フォームファクタの電子デバイス（例えば、モバイル電話、メディアプレーヤ、携帯情報端末、リモートコントロールなど）にて組み立てられる、カバーガラス、又はディスプレイ（例えば、ＬＣＤディスプレイ）に特に好適である。本装置、システム、及び方法はまた、相対的に大型のフォームファクタの他の電子デバイス（例えば、ポータブルコンピュータ、タブレットコンピュータ、ディスプレイ、モニタ、テレビなど）に対応したカバーガラス又はディスプレイにも使用できる。
【００１７】
ハンドヘルド電子デバイス及びポータブル電子デバイスは可動であるため、固定式デバイスが被ることのない、様々な異なる衝撃イベント及び応力を被る可能性がある。それ故、本発明は、薄型に設計されるハンドヘルド電子デバイス又はポータブル電子デバイス用のディスプレイの実装に良好に適している。
【００１８】
一実施形態において、ガラス製カバーの寸法は、関連付けされた電子デバイスのサイズによって決まる。例えば、ハンドヘルド電子デバイスでは多くの場合、ガラス製カバーは対角線で５インチ以下である。別の実施例として、比較的小型のポータブルコンピュータ又はタブレットコンピュータなどの、ポータブル電子デバイスに関しては、カバーガラスは、多くの場合、対角線で約４インチから約１２インチである。更に別の実施例として、フルサイズのポータブルコンピュータ、ディスプレイ、又はモニタなどの、ポータブル電子デバイスに関しては、ガラス製カバーは、多くの場合、対角線で１０インチから２０インチであるか、又は更に大きい。
【００１９】
しかしながら、画面のサイズが大きくなると共に、ガラス層の厚さをより大きくすることが必要となる可能性がある点を理解されたい。より大きいガラス層の平面性を維持するために、ガラス層の厚さを増大させることが必要となる可能性がある。ディスプレイは、依然として比較的薄いまま維持することができるが、画面のサイズの増大と共に、最小の厚さが増大する可能性がある。例えば、ガラス製カバーの最小の厚さは、この場合も画面のサイズに応じて決定され、小型のハンドヘルド電子デバイスに関しては約０．４ｍｍ、比較的小型のポータブルコンピュータ又はタブレットコンピュータに関しては約０．６ｍｍ、フルサイズのポータブルコンピュータ、ディスプレイ、又はモニタに関しては約１．０ｍｍ以上に対応し得る。ガラス製カバーの厚さは、電子デバイスのアプリケーション及び／又はサイズによって決まる。昨今では、デバイスの薄型化に適応することがトレンドになっているが、ガラス製カバーの厚さの幾つかの例は、小型ハンドヘルド電子デバイスでは約１ｍｍに相当し、より小型のポータブルコンピュータ又はタブレットコンピュータでは約２ｍｍに相当し、フルサイズのポータブルコンピュータ、ディスプレイ又はモニタでは約３ｍｍ以上に相当し得る。これらのガラス製カバーの厚さは、前にも述べたように、画面のサイズによって決まる。
【００２０】
本発明の実施形態については、後ほど図１Ａから図１１を参照しながら説明する。ただし、当業者には、これらの図に関して本明細書で与えられる「発明を実施するための形態」が、説明目的のものであり、本発明がこれらの限られた実施形態を超えて拡張されることが、容易に理解されよう。
【００２１】
図１Ａから図１Ｅは、消費者向け電子製品の１つ以上の実施形態の図を示す。電子デバイス１００は、例えば、薄型フォームファクタ（即ち、ロープロファイル）を有するポータブル又はハンドヘルド電子デバイスとして具現され得る。電子デバイス１００は、例えば、メディアプレーヤ、メディアストレージデバイス、ポータブルデジタルアシスタント（ＰＤＡ）、タブレットＰＣ、コンピュータ、セルラー電話、スマートフォン、ＧＰＳユニット、リモートコントロール、及びこれらに類するものに対応し得る。
【００２２】
図１Ａは、一実施形態に係る電子デバイス１００の斜視図を示す。図１Ｂは、電子デバイス１００の詳細図を示す。電子デバイス１００は、電子デバイス１００の外面の一部として機能する筐体１０２を含み得る。電気部品（図１Ａ及び図１Ｂに示されていない）は、筐体１０２の内部に配設され得る。電気部品としては、コントローラ（又はプロセッサ）、メモリ、バッテリ、ディスプレイ、カメラ、及びフラッシュなどの照明器が挙げられるが、これらに限定されるものではない。
【００２３】
加えて、電子デバイス１００の正面及び／又は背面を覆う際に、ガラスを使用してもよい。電子デバイス１００は、少なくとも１つのカバーガラス１０４を有し得る。カバーガラス１０４は、電子デバイス１００の外面（即ち、正面又は背面）として機能し得る。カバーガラス１０４は、引掻きにも耐え得るため、電子デバイス１００用の筐体１０２の正面又は背面に対し、実質的に耐引掻性面を提供することができる。カバーガラス１０４は、例えば、接着剤を使用して筐体１０２に結合されてもよい。
【００２４】
カバーガラス１０４は、カメラエリア上に提供され得る。カバーガラス１０４は、カメラエリアにおける又はカメラエリアに隣接した透明なカメラウィンドウ１０６を含み得る。一実施例において、カメラエリアは、少なくともカメラ、例えば、画像又は映像をキャプチャするデジタルカメラを含み得る。カメラエリアにおける又はカメラエリアに隣接した、カバーガラス１０４の透明なカメラウィンドウ１０６は、カバーガラス１０４を介して画像又は映像をキャプチャするために、カメラに対して実質的に透過であり得る。カメラエリアは、電子デバイス１００の筐体１０２の内部に延在し得る。カメラに隣接するカバーガラス１０４の小部分の領域は、カメラエリアにわたって延在し得る。カメラに隣接するカバーガラス１０４の小部分の領域に、透明なカメラウィンドウ１０６が含まれてもよい。カバーガラス１０４、より具体的には、透明なカメラウィンドウ１０６が実質的にカメラに重なってもよい。一実施形態において、カバーガラス１０４の周辺領域（より具体的には、透明なカメラウィンドウ１０６）がカメラに隣接してもよく、カメラエリアにわたって延在してもよい。
【００２５】
同様に、カバーガラス１０４は、照明器エリア上に提供されてもよい。一実施例において、照明器エリアは、少なくとも照明器、例えば、暗い場面を照らす発光ダイオード（ＬＥＤ）又は電子閃光管を含み得る。照明器エリアにおいて、カバーガラス１０６は照明器に対して実質的に透過的であってもよく、並びに、照明がカバーガラス１０４から外方へ投影され得るように配置されてもよい。照明器エリアは、電子デバイス１００の筐体１０２の内部に配設されてもよい。
【００２６】
加えて、幾つかの実施形態においては、カバーガラス１０４は、ディスプレイエリアの上に提供されてもよい。幾つかの実施形態において、カバーガラス１０４は、カバーガラス１０４を通してディスプレイエリアが見えるように、実質的に透明であってもよい。幾つかの実施形態において、ディスプレイエリアは、電子デバイス１００の筐体１０２の内部に配設されてもよい。幾つかの実施形態においては、電子デバイス１００は、電子デバイス１００の前面の大部分を占める、全画面表示又は実質的に全画面表示のディスプレイエリアを含み得る。ディスプレイエリアは、様々な様式で具現され得る。一実施例において、ディスプレイエリアは、少なくともディスプレイ、例えばフラットパネルディスプレイ、より具体的にはＬＣＤディスプレイを含み得る。
【００２７】
ディスプレイエリアは、代替的に又は付加的に、ディスプレイ画面上に配置された接触感知デバイスを含み得る。例えば、ディスプレイエリアは、１つ以上のガラス層を含み、そのガラス層上に容量性感知点（capacitive sensing point）が分散されてもよい。これらのコンポーネントの各々は、別々の層であってもよく、又は１つ以上のスタックに組み込まれてもよい。一実施形態において、カバーガラス１０４は、ディスプレイエリアの最も外側の層として機能し得る。
【００２８】
幾つかの実施形態においては、電子デバイス１００は、様々な層を含むディスプレイ領域（例えば、ディスプレイエリア）を含み得る。様々な層は少なくともディスプレイを含んでもよく、ディスプレイ上に配設された感知機構を付加的に含み得る。幾つかの事例においては、層を相互に隣接して積み上げてもよく、更に積層させてもよく、これにより単一ユニットが形成され得る。他の事例においては、少なくとも幾つかの層を直接隣接しないように空間的に離隔させる。
【００２９】
例えば、層同士の間に間隙が生ずるように、ディスプレイ上に感知機構を配設してもよい。例として、ディスプレイは、液晶モジュール（ＬＣＭ）を含む液晶ディスプレイ（ＬＣＤ）を含み得る。ＬＣＭは概して、少なくとも上側ガラスシートと下側ガラスシートとを含み、これらのシートの間に液晶層が少なくとも部分的に挟持されてもよい。感知機構は、タッチスクリーンを作り出すために使用されるものなどの、接触感知機構とすることができる。
【００３０】
例えば、容量性感知タッチスクリーンは、カバーガラス一面に分散された、実質的に透明な感知点又は感知ノードを含み得る。カバーガラス１０４は、ディスプレイ領域の外側防護バリアとして機能し得る。典型的に、カバーガラス１０４はディスプレイ領域と隣接し得る。一方、カバーガラス１０４はまた、ディスプレイ領域、例えば、ディスプレイ領域の別の層（外側防護層）と統合され得る。
【００３１】
カバーガラス１０４は、筐体１０２の上面全体にわたって延在してもよい。そのような場合、カバーガラス１０４の縁を、筐体１０２の側面に位置合わせしてもよく、又は側面に実質的に位置合わせしてもよい。
【００３２】
カバーガラス１０４の厚さは、かなり薄い（即ち、典型的には１、２ミリメートル未満）場合があるので、カバーガラス１０４を慎重に配置しないと、例えば、電子デバイス１００が偶発的に落下する落下イベントなどの、有意な力がかかる場合、亀裂又は破壊の影響を受け易くなる可能性がある。
【００３３】
カバーガラス１０４用のガラス材料は、利用可能な強化ガラスから選択され得る。例えば、アルミノシリケートガラス（例えば、Ｃｏｒｎｉｎｇ製のＤＶＴＳ）は、カバーガラス１０４用のガラス材料に好適な一選択肢である。ガラス材料の他の例としては、ソーダ石灰、硼珪酸塩及びこれらに類するものが挙げられるが、これらに限定されない。
【００３４】
透明なカメラウィンドウ１０６をカバーガラス１０４に統合することも可能である。透明なカメラウィンドウ１０６は同様に、ガラスを含んで構成され得る。一方、幾つかの実施形態においては、透明なカメラウィンドウは、プラスチックを含み得る。
【００３５】
カバーガラス片の縁は、予め定められた特定のジオメトリに対応するように構成され得る。カバーガラス１０４の縁を予め定められた特定のジオメトリに対応するように機械加工することによって、カバーガラス１０４が強化され、結果として、損傷を受けにくくすることができる。
【００３６】
なお、本明細書において後ほど詳述するように、カバーガラス１０４は、更に強化されるように選択的に化学的処理を施してもよい。好適な化学的処理の１つは、カリウム（例ＫＮＯ３）含有の化学浴槽中で、高温にて一定期間（例えば、数時間）カバーガラスの１つ以上の表面部分を選択的に露出させることである。選択的な化学的処理により、望ましくは、選択的に露出させたカバーガラスの表面部分における圧縮応力が上昇する場合がある。圧縮応力が上昇すると、結果として、イオン交換が為され得る。その際、Ｋ＋イオンは、カバーガラス１０４における選択的に露出した表面部分にて又はその近くで、いくつかのＮａ＋イオンを効率的に置換する。
【００３７】
そのような選択的な強化に加えて、ベイリンググレアを低減することにより透明なカメラウィンドウ１０６を介してカメラでキャプチャされた画像又は映像の品質の向上も可能になる。光学特徴部（例えば光学的バリア領域１１０）をカバーガラス１０４の内部に配設してもよい。光学的バリア領域１１０は、そのような迷光の乱反射（diffuse stray light）がカメラの画像平面に到達するのを実質的に抑止することによって、ベイリンググレアの実質的な低減を可能にしている。それ以外の場合、ベイリンググレアは、カメラでキャプチャされた画像又は映像のコントラスト及び解像度を低減し得る。
【００３８】
図に示すように（特に、図１Ｂの詳細図に具体的に示すように）、カバーガラス１０４は、光学的バリア周辺部１１０で実質的に包囲された透明なカメラウィンドウ１０６を含む、実質的に滑らかな外面を有してもよい。カバーガラス１０４の外面を、透明なカメラウィンドウ１０６、光学的バリア周辺部１１０、及びカバーガラス１０４の隣接領域１１１にわたって平面状にラップ加工してもよい。本明細書において後ほど詳述するように、光学的バリア周辺部１１０は金属を含み得る。
【００３９】
カメラを透明なカメラウィンドウ１０６に隣接して光学的バリア周辺部１１０の内部に配置してもよい。光学的バリア周辺部１１０は、カバーガラスを介してカメラにおけるグレアを低減するために、カバーガラス１０４の内部で、カメラとカバーガラスの隣接領域１１１との間に介在させてもよい。より具体的には、光学的バリア周辺部１１０は、カバーガラスを介してカメラにおけるグレアを低減するために、カバーガラス１０４の内部で、透明なカメラウィンドウ１０６とカバーガラスの隣接領域１１１との間に介在させてもよい。図に示すように、カバーガラスの隣接領域１１１は、カバーガラスの大部分の領域を占めてもよい。
【００４０】
同様に、カバーガラス１０４の内部で、透明なカメラウィンドウ１０６に付随するカメラと照明器エリアの照明器との間に、光学的バリア周辺部１１０を配設してもよい。光学的バリア周辺部１１０は、カバーガラス１０４を介してカメラ内へ入り込む照明器からの光を、実質的に低減するように機能することができる。より具体的には、光学的バリア周辺部１１０は、カバーガラス１０４を介してカメラ内へ入り込む照明器からのベイリンググレアを、実質的に低減するように機能することができる。
【００４１】
図１Ｃに略断面図で示すように、電子デバイス１００は筐体１０２を含み得る（図１Ｃにかなり簡略化して示してある）。電気部品１０３は、筐体１０２の内部に配設され得る。本明細書において前述したように、電気部品としては、コントローラ（又はプロセッサ）、メモリ、バッテリ、ディスプレイ、カメラ、及びフラッシュなどの照明器が挙げられるが、これらに限定されるものではない。カバーガラス１０４は、例えば、接着剤１０５を使用して筐体１０２に結合され得る。図を判り易くするため、断面図に、カバーガラス１０４の相対的厚さをかなり誇張して示してある。同様に、図を簡略化するため、光学的バリア周辺部１１０の層厚は、かなり誇張して示してある。同図において光学的バリア周辺部１１０は、ハッチングを使用して強調されている。
【００４２】
図１Ｃの断面図に示すように、カバーガラス１０４は、光学的バリア周辺部１１０で実質的に包囲された透明領域１０６を含む、実質的に滑らかな外面を有し得る。光学的バリア周辺部１１０は、カバーガラスを介してカメラにおけるグレアを低減するために、カバーガラス１０４の内部で、透明なカメラウィンドウ１０６とカバーガラスの隣接領域１１１との間に介在させてもよい。カバーガラスの隣接領域１１１は、カバーガラス１０４の大部分の領域を占めてもよい。
【００４３】
電子デバイス１００のカメラ１０７においてベイリンググレアを低減する際の、光学的バリア周辺部１１０の動作を示すために、図１Ｄに電子デバイス１００の一部を更に簡略化して断面図で示してある。図１Ｄには、カバーガラス１０４内に伝播するベイリンググレアを概念的な点線矢印で描画してある。光学的バリア周辺部１１０は、そのような迷光の乱反射がカメラ１０７の画像平面に到達するのを実質的に抑止することによって、ベイリンググレアの実質的な低減を可能にしている。したがって、図１Ｄにベイリンググレアのこのような実質的な低減を示すため、概念的な点線矢印部をブロックするものとして光学的バリア周辺部１１０を描画してある。
【００４４】
図１Ｄに示すように、カメラ１０７を、透明なカメラウィンドウ１０６に隣接して光学的バリア周辺部１１０の内部に配置してもよい。光学的バリア周辺部１１０は、カバーガラス１０４を介してカメラ１０７におけるグレアを低減するために、カバーガラス１０４の内部で、カメラ１０７とカバーガラスの隣接領域１１１との間に介在させてもよい。より具体的には、光学的バリア周辺部１１０は、カバーガラス１０４を介してカメラ１０７におけるグレアを低減するために、カバーガラス１０４の内部で、透明なカメラウィンドウ１０６とカバーガラスの隣接領域１１１との間に介在させてもよい。図１Ｄに示すように、カバーガラス１０４の隣接領域１１１は、カバーガラス１０４の大部分の領域を含んでもよい。
【００４５】
電子デバイス１００の照明器１０９からのベイリンググレアをカメラ１０７において低減する際の、光学的バリア周辺部１１０の動作を示すために、図１Ｅに電子デバイス１００の一部を更に簡略化して断面図で示してある。図１Ｅには、照明器１０９からのベイリンググレアがカバーガラス１０４内に伝播する様子を、概念的な点線矢印で描画してある。光学的バリア周辺部１１０は、照明器のそのような迷光の乱反射がカメラ１０７の画像平面に到達するのを実質的に抑止することによって、照明器１０９からのベイリンググレアの実質的な低減を可能にしている。したがって、照明器１０９からのベイリンググレアのこのような実質的な低減を記述するため、概念的な点線矢印部をブロックするものとして光学的バリア周辺部１１０を図１Ｅに示してある。
【００４６】
図１Ｅに示すように、カメラ１０７を、透明なカメラウィンドウ１０６に隣接して光学的バリア周辺部１１０の内部に配置してもよい。光学的バリア周辺部１１０は、カバーガラスを介してカメラ１０７におけるグレアを低減するために、カバーガラス１０４の内部で、カメラ１０７と隣接領域１１１（即ち、照明器１０９の照明器エリア）との間に介在させてもよい。より具体的には、光学的バリア周辺部１１０は、カバーガラス１０４を介してカメラにおけるグレアを低減するために、カバーガラス１０４の内部で、透明なカメラウィンドウ１０６とカバーガラスの隣接領域１１１（即ち、照明器１０９の照明器エリア）との間に介在させてもよい。
【００４７】
図２Ａから図２Ｂは、一実施形態に係るカバーガラスの加工を示す。
【００４８】
図２Ａは、シートガラスから切り離され得るカバーガラス２０４の斜視図を示す。図２Ｂは、カバーガラス２０４の周辺領域の詳細図を示す。
【００４９】
図３Ａは、カバーガラス３０４内に開口３１２が形成された後の、加工済みカバーガラス３０４の斜視図を示す。開口３１２は、例えばドリル加工などの様々な方法で形成することができる。図３Ｂは、開口３１２を有する加工済みカバーガラス３０４の周辺領域の詳細図を示す。
【００５０】
図４Ａは、光学的バリア周辺部４１０がカバーガラス４０４内に形成された開口４１２の内部に配設された後の、更に加工されたカバーガラス４０４の斜視図を示す。光学的バリア周辺部４１０は金属であってもよく、これは比較的高い溶融温度を有するように選択されてもよい（例えばタングステン又はモリブデン）。
【００５１】
光学的バリア周辺部４１０の層厚は、比較的薄型、例えば、約数百ナノメートル程度、又は約１から数ミクロン程度であり得る。光学的バリア周辺部４１０の層厚は、材料（例えば、金属）に応じてベイリンググレアを低減する有効性に基づいて選択されてもよい。
【００５２】
カバーガラス４０４内に形成された開口４１２の中に光学的バリア周辺部４１０を配設する際には、様々な方法を使用できる。例えば、物理的気相成長法のプロセスを使用してもよい。ＰＶＤは、開口４１２の中に材料の薄層（例えば、金属）を形成することで、光学的バリア周辺部４１０として機能し得る。図４Ａに示すように、カバーガラスの開口４１２内部の露出側面上に、ＰＶＤプロセスで適用される材料の薄層を提供できる。
【００５３】
図４Ｂは、更に加工されたカバーガラス４０４の周辺領域の詳細図を示す。図４Ａ及び図４Ｂにおいて光学的バリア周辺部４１０は、ハッチングを使用して強調されている。
【００５４】
図５Ａは、光学的バリア周辺部５１０の内部に及びカバーガラス５０４を貫通して延在する開口５０６の内部に、透明なカメラウィンドウ５１４を配設した後の、更に加工されたカバーガラス５０４の斜視図を示す。透明なカメラウィンドウ５１４は、適切にサイズ調整されたガラス製プラグ又はペグとして形成でき、好適な温度、例えば摂氏約６００から約７００度（℃）にて適所で熱圧プレスできる。
【００５５】
特に、図５Ｂの詳細図に具体的に示すように、カバーガラス５０４は、光学的バリア周辺部５１０で実質的に包囲された透明なカメラウィンドウ５１４を含む実質的に滑らかな外面を有し得る。カバーガラス５０４の外面（例えば、正面又は背面）を、透明なカメラウィンドウ５１４、光学的バリア周辺部５１０、及びカバーガラス５０４の隣接領域５１１にわたって平面状にラップ加工してもよい。
【００５６】
図６Ａから図６Ｄは、一実施形態に係るカバーガラスの加工を示す略断面図である。図６Ａは、カバーガラス６０４内に開口６１２が形成された後の、加工済みカバーガラス６０４の断面図を示す。上で述べたように、開口６１２は、例えばドリル加工などの様々な方法で形成することができる。
【００５７】
図６Ｂは、カバーガラス６０４内に形成された開口６１２の中に光学的バリア周辺部６１０が配設された後の、更に加工されたカバーガラス６０４の断面図を示す。上で述べたように、光学的バリア周辺部４１０は金属であり得る。金属は、比較的高い溶融温度を有するように選択されてもよい（例えばタングステン又はモリブデン）。図中の光学的バリア周辺部６１０は、ハッチングを使用して強調されている。
【００５８】
図６Ｃは、細長の透明なカメラウィンドウ６０６Ａが、カバーガラス６０４を貫通して延在する光学的バリア周辺部６１０の内部及び開口の内部に配設された後の、更に加工されたカバーガラス６０４の断面図を示す。細長の透明なカメラウィンドウ６０６Ａは、細長のガラス製プラグ又はペグとして形成でき、好適な温度、例えば摂氏約６００から約７００度（℃）にて適所に熱圧プレスできる。次に述べるように、好適な研磨スラリー（例えば、酸化セシウムを含有しているもの）を使用して、カバーガラスの外面が平面状になり得るように、細長の透明なカメラウィンドウ６０６Ａをラップ加工してもよい。
【００５９】
例えば、図６Ｄに断面図で示すように、カバーガラス６０４は、光学的バリア周辺部６１０で実質的に包囲された透明なカメラウィンドウ６０６Ｂを含む実質的に滑らかな外面を有し得る。結果として得られるカバーガラス６０４の外面は、透明なカメラウィンドウ６０６Ｂ、光学的バリア周辺部６１０、及びカバーガラス６０４の隣接領域６１１にわたって平面状であり得る。
【００６０】
図７Ａから図７Ｃは、別の実施形態に係るカバーガラスの加工を示す略断面図である。図７Ａは、カバーガラス６０４内に開口７１２が形成された後の、加工されたカバーガラス７０４の断面図を示す。上で述べたように、開口７１２は、例えばドリル加工などの様々な方法で形成することができる。
【００６１】
先ほど図６Ｂに関して述べたように、カバーガラス６０４内に形成された開口７１２の中に光学的バリア周辺部を配設するよりもむしろ、図７Ｂのこの代替実施形態においては、光学的バリア周辺部７１０が、細長の透明なカメラウィンドウ７０６Ａ上に被覆物として配設される。図７Ｂは、細長の透明なカメラウィンドウ７０６Ａ（光学的バリア周辺部７１０で被覆されたもの）が、カバーガラス７０４を貫通して延在する開口７１２の内部に配設された後の、更に加工されたカバーガラス７０４の断面図を示す。細長の透明なカメラウィンドウ７０６Ａは、細長のガラス製プラグ又はペグとして形成でき、好適な温度、例えば摂氏約６００から約７００度（℃）にて適所に熱圧プレスされ得る。次に述べるように、好適な研磨スラリー（例えば、酸化セシウムを含有しているもの）を使用して、カバーガラス７０４の外面が平面状になり得るように、細長の透明なカメラウィンドウ７０６Ａ（光学的バリア周辺部７１０で被覆されたもの）をラップ加工してもよい。
【００６２】
例えば、図７Ｃに断面図で示すように、カバーガラス７０４は、光学的バリア周辺部７１０で実質的に包囲された透明なカメラウィンドウ７０６Ｂを含む実質的に滑らかな外面を有し得る。結果として得られるカバーガラス７０４の外面は、透明なカメラウィンドウ７０６Ｂ、光学的バリア周辺部７１０、及びカバーガラス７０４の隣接領域７１１にわたって平面状であり得る。
【００６３】
図８Ａから図８Ｃは、別の実施形態に係るカバーガラスの加工を示す略断面図である。図８Ａは、カバーガラス８０４内に開口８１２が形成された後の、加工済みカバーガラス８０４の断面図を示す。図８Ａに示す実施形態において、カバーガラス８０５のガラスは、右から左のハッチングで示されているように、暗色又は不透明であってよい。
【００６４】
図８Ｂは、細長の透明なカメラウィンドウ８０６Ａが暗色又は不透明なカバーガラス８０４を貫通して延在する開口８１２の内部に配設された後の、暗色又は不透明なカバーガラス８０４の断面図を示す。細長の透明なカメラウィンドウ８０６Ａは、細長のガラス製プラグ又はペグとして形成でき、好適な温度、例えば摂氏約６００から約７００度（℃）にて適所に熱圧プレスされ得る。次に述べるように、好適な研磨スラリー（例えば、酸化セシウムを含有しているもの）を使用して、暗色の不透明なカバーガラスの外面が平面状になり得るように、細長の透明なカメラウィンドウを８０６Ａをラップ加工してもよい。
【００６５】
例えば、図８Ｃに断面図で示すように、暗色又は不透明なカバーガラス８０４は、透明なカメラウィンドウ８０６Ｂを含む実質的に滑らかな外面を有し得る。結果として得られる暗色又は不透明なカバーガラス８０４の外面は、透明なカメラウィンドウ８０６Ｂ、及び暗色又は不透明なカバーガラス８０４の隣接領域８１１にわたって平面状であり得る。
【００６６】
図８Ｄは、消費者向け電子製品８００の別の実施形態の略図である。消費者向け電子製品８００は、筐体及び少なくとも部分的に筐体の内部に配設された電気部品を含んでもよい。電気部品は少なくともカメラ８０７を含んでもよい。
【００６７】
消費者向け電子製品８００は、筐体に結合されたカバーガラス８０４を含んでもよい。カバーガラス８０４は、透明なカメラウィンドウ８０６Ｂと、隣接する暗色又は不透明なガラス領域８１１と、を含んでもよい。カメラ８０７を透明なカメラウィンドウ８０６Ｂに隣接して配置してもよい。隣接するガラス領域８１１は、カバーガラス８０４を通したカメラ８０７におけるグレアを低減するのに十分に暗色又は不透明であってよい。
【００６８】
カバーガラス８０４は、透明なカメラウィンドウ８０６Ｂ及び隣接するガラス領域８１１にわたって延在する、実質的に滑らかな外面を有し得る。カバーガラス８０４は、透明なカメラウィンドウ８０６Ｂ及び隣接するガラス領域８１１にわたって平面状にラップ加工された外面を有してもよい。
【００６９】
図９は、カバーガラスの露出面部分の化学強化の詳細な部分断面図を示す線図である。図９は、加熱されたカリウム浴９１６（例えば、溶融した硝酸カリウム（ＫＮＯ３）浴）にカバーガラス９０４を浸水させて、カバーガラス９０４に化学強化を施す化学的処理プロセスを、概略的に示している。加熱されたカリウム浴９１６中にカバーガラス９０４が浸水されるか又は浸漬されると、カバーガラス９０４の露出面部分にて拡散及びイオン交換が発生し得る。
【００７０】
図９に示すように、圧縮面層９１９を形成できるように、カバーガラス９０４内に存在するＮａ＋イオン９１５をカリウム浴９１６中に拡散させてもよく、カリウム浴９１６中のＫ＋イオン９１７をカバーガラス９０４中に拡散させてもよい。言い換えると、カリウム浴９１６からのＫ＋イオン９１７は、Ｎａ＋イオン９１５との交換によって圧縮面層９１９を形成し得る。Ｋ＋イオン９１７は圧縮面層９１９の圧縮応力の表面応力（ＣＳ）を提供でき、それにより、カバーガラス９０４の圧縮面層９１９に化学強化が施される。圧縮面層９１９は、クロスハッチングを使用して強調されている。
【００７１】
図９においてカバーガラス９０４は厚さ（ｔ）を有するものとして示されている。化学的処理パラメータ、例えば、化学強化処理の時間及び／又はカリウム浴９１６中のＫ＋イオン９１７の濃度を制御することによって、圧縮面層９１９の深度（ｄ）、及び圧縮面層９１９の圧縮応力の表面応力（ＣＳ）は実質的に制御され得る。幾つかの事例においては、Ｋ＋イオン９１７が、カバーガラス９０４の中央部分９２１に拡散されないこともあり得る。図９では、中央部分９２１がクロスハッチングなしで示されている。カバーガラス９０４の中心部分９２１は、圧縮面層９１９の圧縮応力の表面応力（ＣＳ）に応答して、中心張力（ＣＴ）を有し得る。
【００７２】
図１０Ａ及び図１０Ｂは、一実施形態に係るカバーガラス１００４の化学強化を示す略断面図である。図１０Ａは、化学強化を施す前のカバーガラス１００４を示す。図１０Ｂは、化学強化を施した後のカバーガラス１００４を示す。
【００７３】
図１０Ａ及び図１０Ｂに示すように、カバーガラス１００４は、光学的バリア周辺部１０１０によって実質的に包囲された透明なカメラウィンドウ１００６を含む実質的に滑らかな外面を有し得る。カバーガラス１００４の外面を、例えば化学強化に先立って、透明なカメラウィンドウ１００６、光学的バリア周辺部１０１０及びカバーガラスの隣接領域１００４にわたって平面状にラップ加工してもよい。
【００７４】
図１０Ｂは、化学強化が施された後の、ガラス製カメラウィンドウ１００６の化学強化面１０１９Ａを示す。図１０Ｂはまた、カバーガラス１００４の隣接領域１０１１の、化学強化面１０１９Ｂを示す。
【００７５】
図１０Ｃは、筐体及び少なくとも部分的に筐体の内部に配設された電気部品を含み、この電気部品が少なくともカメラ１００７を含む、消費者向け電子製品１０００の別の実施形態の略図である。カバーガラス１００４は、筐体に結合できる。
【００７６】
カバーガラス１００４は、化学強化面１０１９Ａを有するガラス製カメラウィンドウ１００６を含んでもよい。カバーガラス１００４は、強化面１０１９Ｂを有する隣接領域１０１１を含んでもよい。カバーガラス１００４は光学的バリア周辺部１０１０を更に含み得る。光学的バリア周辺部１０１０は、ガラス製カメラウィンドウ１００６を実質的に包囲してもよい。光学的バリア周辺部１０１０は金属を含み得る。
【００７７】
カメラ１００７をガラス製カメラウィンドウ１００６に隣接して配置してもよい。光学的バリア周辺部１０１０は、カバーガラスを介してカメラ１００７におけるグレアを低減するために、カバーガラス１００４の内部で、カメラ１００７とカバーガラスの隣接領域１０１１との間に介在させてもよい。より具体的には、光学的バリア周辺部１０１０は、カバーガラス１００４の内部で、カメラウィンドウ１００６とカバーガラス１００４の隣接領域１０１１との間に介在させてもよく、並びに、カバーガラス１００４を介してカメラ１００７におけるグレアを低減するように機能することができる。
【００７８】
電子デバイス１０００のカメラ１００７においてベイリンググレアを低減する際の、光学的バリア周辺部１０１０の動作を示すために、図１０Ｃに電子デバイス１０００を簡略化して断面図で示してある。図１０Ｃには、カバーガラス１００４内を伝播するベイリンググレアを、概念的な点線矢印で描画してある。光学的バリア周辺部１０１０は、そのような迷光の乱反射がカメラ１００７の画像平面に到達するのを実質的に抑止することによって、ベイリンググレアの実質的な低減を可能にしている。したがって、図１０Ｃにベイリンググレアのこのような実質的な低減を示すため、概念的な点線矢印部をブロックするものとして光学的バリア周辺部１０１０を描画してある。
【００７９】
図１０Ｃに示す消費者向け電子製品１０００において、カバーガラス１００４は、ガラス製カメラウィンドウ１００６、光学的バリア周辺部１０１０、及びカバーガラス１００４の隣接領域１０１１にわたって延在する、実質的に滑らかな外面を有し得る。カバーガラス１００４は、（例えば、ラップ加工によって）ガラス製カメラウィンドウ１００６、光学的バリア１０１０及びカバーガラス１００４の隣接領域１０１１にわたって平面状の外面を有し得る。
【００８０】
図１１は、一実施形態に係る組立プロセス１１００のフローチャートである。組立プロセス１１００は、カバーガラス内に開口を形成する工程１１０２によって開始してもよい。プロセス１１００は引き続き、カメラウィンドウを実質的に包囲する光学的バリア周辺部を介在させる工程１１０４を実行できる。光学的バリア周辺部は、カメラウィンドウと隣接のガラス領域との間に提供される。
【００８１】
プロセス１１００は引き続き、カバーガラスの開口内に透明なカメラウィンドウを配設する工程１１０６を実行できる。透明なカメラウィンドウを、加熱して（即ち、コンプライアントになるように）開口部の内部の所定位置に押圧することにより、密着させてもよい。プロセス１１００は引き続き、透明なカメラウィンドウ及びカバーガラスの隣接するガラス領域が、カバーガラスの平面状外面になるように、透明なカメラウィンドウをラップ加工する工程１１０８を実行できる。
【００８２】
プロセス１１００は引き続き、カメラに隣接する透明なカメラウィンドウを配設する工程１１１０を実行できる。その後、プロセス１１００はその後に、カバーガラスを電子製品用の筐体に取り付ける工程１１１２を実行できる。一旦カバーガラスが筐体に取り付けられた後は、組立プロセス１１００を終了してもよい。
【００８３】
本出願は、２０１０年７月３０日に出願された「Ｅｌｅｃｔｒｏｎｉｃ  Ｄｅｖｉｃｅ  Ｈａｖｉｎｇ  Ｓｅｌｅｃｔｉｖｅｌｙ  Ｓｔｒｅｎｇｔｈｅｎｉｎｇ  Ｇｌａｓｓ  Ｃｏｖｅｒ  Ｇｌａｓｓ」と題した米国特許出願第１２／８４７，９２６号を参照しており、この出願は本明細書において参照により援用されている。
【００８４】
本発明の実施形態は、ポータブルなバッテリ駆動型電子デバイス、より具体的には、ハンドヘルドのバッテリ駆動型電子デバイスによく適している。ポータブルなバッテリ駆動型電子デバイスの例としては、ラップトップ、タブレットコンピュータ、メディアプレーヤ、電話、ＧＰＳユニット、リモートコントロール、携帯情報端末（ＰＤＡ）及びこれらに類するものを挙げることができる。
【００８５】
上述の本発明の種々の態様、特長、実施形態又は実施は、単独で又は種々の組み合わせで使用することができる。
【００８６】
本発明の利点は多岐にわたっている。様々な態様、実施形態、又は実装によって、以下の利点のうちの１つ以上がもたらされ得る（ただし、必ずしもその必要はない）。本発明の利点の１つは、カバーガラスを強化したことで、カメラウィンドウ領域においてさえも落下イベントに起因する損傷から防護できることにある。別の利点は、透明なカメラウィンドウをカバーガラスと統合すると、効率及び／又は外観が良くなることである。画像又は映像品質が向上するという別の利点がある。この利点は、ベイリンググレアの実質的な低減によってもたらされ得る。
【００８７】
本発明の多くの特徴及び利点は、記載されている説明から明らかであり、それ故、添付の特許請求の範囲によって、本発明のそのような特徴及び利点を包含することが意図される。更には、数多くの修正形態及び変形形態が、当業者には容易に想到されるため、本発明は、例示及び説明される厳密な構成並びに動作に限定されるべきではない。したがって、全ての好適な修正形態及び均等物が本発明の範囲内に入るものとして用いられてもよい。
【図１Ａ】
0006479063.tif 000002
【図１Ｂ】
0006479063.tif 000003
【図１Ｃ】
0006479063.tif 000004
【図１Ｄ】
0006479063.tif 000005
【図１Ｅ】
0006479063.tif 000006
【図２Ａ】
0006479063.tif 000007
【図２Ｂ】
0006479063.tif 000008
【図３Ａ】
0006479063.tif 000009
【図３Ｂ】
0006479063.tif 000010
【図４Ａ】
0006479063.tif 000011
【図４Ｂ】
0006479063.tif 000012
【図５Ａ】
0006479063.tif 000013
【図５Ｂ】
0006479063.tif 000014
【図６Ａ】
0006479063.tif 000015
【図６Ｂ】
0006479063.tif 000016
【図６Ｃ】
0006479063.tif 000017
【図６Ｄ】
0006479063.tif 000018
【図７Ａ】
0006479063.tif 000019
【図７Ｂ】
0006479063.tif 000020
【図７Ｃ】
0006479063.tif 000021
【図８Ａ】
0006479063.tif 000022
【図８Ｂ】
0006479063.tif 000023
【図８Ｃ】
0006479063.tif 000024
【図８Ｄ】
0006479063.tif 000025
【図９】
0006479063.tif 000026
【図１０Ａ】
0006479063.tif 000027
【図１０Ｂ】
0006479063.tif 000028
【図１０Ｃ】
0006479063.tif 000029
【図１１】
0006479063.tif 000030